(57)【要約】【課題】施設内の複数の設備機器を集中して管理する中央管理装置の処理負荷が増大したときに、追加したハードウェアに容易に処理負荷を分散させることが可能な設備機器管理システムおよび設備機器管理方法を提供する。【解決手段】  実施形態によれば設備機器管理システムは、第１管理装置と第２管理装置とを有する。第１管理装置は、自装置のＣＰＵ占有率が閾値を所定時間以上超えると判断すると、管理対象の機器のエネルギー消費量を算出するためのプログラムモジュールをコピーして第２管理装置に送信する。第２管理装置は、管理対象の機器のエネルギー消費量を算出するためのプログラムモジュールを受信すると、自装置内に、受信したプログラムモジュールを実行する第２エネルギー管理部を生成する。【選択図】図１
2015228147.tif 000002
【特許請求の範囲】
【請求項１】
管理対象の機器に接続された第１管理装置と、前記第１管理装置にＩＰネットワークを介して接続された第２管理装置とを備えた設備機器管理システムにおいて、
前記第１管理装置は、
前記管理対象の機器の監視および制御を行う機器監視制御部と、
前記機器監視制御部で行われた監視および制御に関する情報に基づいて、前記機器のエネルギー消費量を算出する第１エネルギー管理部と、
自装置のＣＰＵ占有率が予め設定された閾値を所定時間以上超えると判断すると、前記第１エネルギー管理部の機能の少なくとも一部を実行するためのプログラムモジュールをコピーして前記第２管理装置に送信し、前記プログラムモジュールを送信したことにより前記第２管理装置から通知された、前記第２管理装置に新たに生成された第２エネルギー管理部にアクセスするためのＩＰアドレスおよびポート番号で、前記機器監視制御部に予め保持された前記第１エネルギー管理部のＩＰアドレスおよびポート番号を書き換える負荷分散管理部と
を有し、
前記第２管理装置は、
前記第１管理装置から前記第１エネルギー管理部の機能を実行するためのプログラムモジュールを受信すると、自装置内に、受信したプログラムモジュールを実行する第２エネルギー管理部を生成し、生成した第２エネルギー管理部にアクセスするためのＩＰアドレスおよびポート番号を、前記第１管理装置に通知する機能管理部を有する
ことを特徴とする設備機器管理システム。
【請求項２】
管理対象の機器に接続された第１管理装置と、前記第１管理装置にＩＰネットワークを介して接続された第２管理装置とを備えた設備機器管理システムにおいて、
前記第１管理装置は、
前記管理対象の機器の監視および制御を行う機器監視制御部と、
前記機器監視制御部で行われた監視および制御に関する情報に基づいて、予め記憶した、前記管理対象の機器に関する情報を格納したデータベースを利用して前記機器のエネルギー消費量を算出する第１エネルギー管理部と、
前記第２管理装置内に設けられた、前記第１エネルギー管理部と同一機能を有する第２エネルギー管理部のＩＰアドレスおよびポート番号を予め記憶し、自装置のＣＰＵ占有率が予め設定された閾値を所定時間以上超えると判断すると、前記第１エネルギー管理部に記憶されたデータベースの少なくとも一部を前記第２管理装置に送信して、前記第２管理装置に送信したデータベースに対応する前記第１エネルギー管理部の機能を停止させ、記憶している前記第２エネルギー管理部のＩＰアドレスおよびポート番号で、前記機器監視制御部に予め保持された前記第１エネルギー管理部のＩＰアドレスおよびポート番号を書き換える負荷分散管理部と
を有し、
前記第２管理装置は、
前記第２エネルギー管理部と、
通常時は前記第２エネルギー管理部の機能を休止状態とし、前記第１管理装置から前記データベースを受信すると、前記第２エネルギー管理部の機能を起動させる機能管理部と
を有することを特徴とする設備機器管理システム。
【請求項３】
管理対象の機器に接続された第１管理装置の機器監視制御部が、前記機器の監視および制御を行うステップと、
前記第１管理装置の第１エネルギー管理部が、前記機器監視制御部で行われた監視および制御に関する情報に基づいて、前記機器のエネルギー消費量を算出するステップと、
前記第１管理装置の負荷分散管理部が、自装置のＣＰＵ占有率が予め設定された閾値を所定時間以上超えると判断すると、前記第１エネルギー管理部の機能の少なくとも一部を実行するためのプログラムモジュールをコピーして、前記第１管理装置にＩＰネットワークを介して接続された第２管理装置に送信するステップと、
前記第２管理装置の機能管理部が、前記第１管理装置から前記第１エネルギー管理部の機能を実行するためのプログラムモジュールを受信すると、自装置内に、受信したプログラムモジュールを実行する第２エネルギー管理部を生成し、生成した第２エネルギー管理部にアクセスするためのＩＰアドレスおよびポート番号を、前記第１管理装置に通知するステップと、
前記第１管理装置の負荷分散管理部が、前記第２管理装置から通知された、前記第２エネルギー管理部にアクセスするためのＩＰアドレスおよびポート番号で、前記機器監視制御部に予め保持された前記第１エネルギー管理部のＩＰアドレスおよびポート番号を書き換えるステップと
を有することを特徴とする設備機器管理方法。
【請求項４】
管理対象の機器に接続された第１管理装置の機器監視制御部が、前記機器の監視および制御を行うステップと、
前記第１管理装置の第１エネルギー管理部が、前記機器監視制御部で行われた監視および制御に関する情報に基づいて、予め記憶した、前記管理対象の機器に関する情報を格納したデータベースを利用して前記機器のエネルギー消費量を算出するステップと、
前記第１管理装置の負荷分散管理部が、前記第１管理装置にＩＰネットワークを介して接続された第２管理装置内に設けられた、前記第１エネルギー管理部と同一機能を有する第２エネルギー管理部のＩＰアドレスおよびポート番号を予め記憶し、自装置のＣＰＵ占有率が予め設定された閾値を所定時間以上超えると判断すると、前記第１エネルギー管理部に記憶されたデータベースの少なくとも一部を前記第２管理装置に送信して、前記第２管理装置に送信したデータベースに対応する前記第１エネルギー管理部の機能を停止させ、記憶している前記第２エネルギー管理部のＩＰアドレスおよびポート番号で、前記機器監視制御部に予め保持された前記第１エネルギー管理部のＩＰアドレスおよびポート番号を書き換えるステップと、
前記第２管理装置の機能管理部が、通常時は前記第２エネルギー管理部の機能を休止状態とし、前記第１管理装置から前記データベースを受信すると、前記第２エネルギー管理部の機能を起動させるステップと
を有することを特徴とする設備機器管理方法。
【発明の詳細な説明】
【技術分野】
【０００１】
本発明の実施形態は、設備機器管理システムおよび設備機器管理方法に関する。
【背景技術】
【０００２】
従来、オフィスビルやプラント等の大型の施設では、施設内の複数の設備機器と中央管理装置とを接続して設備機器管理システムを構築し、中央管理装置で集中して各設備機器の監視および制御を行う。
【０００３】
当該設備機器管理システムにおいて、中央管理装置は、管理対象の設備機器の種別や台数に適した処理能力を有するハードウェアが用いられる。
【先行技術文献】
【特許文献】
【０００４】
【特許文献１】特開２０１１−２３２８８６号公報
【発明の概要】
【発明が解決しようとする課題】
【０００５】
上述した設備機器管理システムでは、管理対象の設備機器の増設等により中央管理装置の負荷が増大したときには、当該中央管理装置を構成するハードウェアを追加することで対応が可能であるが、その場合、システム内の設定変更処理が煩雑となり、手間も時間もかかるという問題があった。
【０００６】
またシステム構築時に、処理負荷が増大することを予測して、高い処理能力を有するハードウェアを中央管理装置に用いることも考えられるが、結果的に負荷が増大せずコストの無駄となる可能性があるという問題があった。
【０００７】
本発明は上記事情に鑑みてなされたものであり、施設内の複数の設備機器を集中して管理する中央管理装置の処理負荷が増大したときに、追加したハードウェアに容易に処理負荷を分散させることが可能な設備機器管理システムおよび設備機器管理方法を提供することを目的とする。
【課題を解決するための手段】
【０００８】
上記目的を達成するための実施形態によれば設備機器管理システムは、第１管理装置と第２管理装置とを有する。第１管理装置は、自装置のＣＰＵ占有率が閾値を所定時間以上超えると判断すると、管理対象の機器のエネルギー消費量を算出するためのプログラムモジュールをコピーして第２管理装置に送信する。第２管理装置は、管理対象の機器のエネルギー消費量を算出するためのプログラムモジュールを受信すると、自装置内に、受信したプログラムモジュールを実行する第２エネルギー管理部を生成する。
【図面の簡単な説明】
【０００９】
【図１】本発明の第１実施形態および第２実施形態による設備機器管理システムを示す全体図である。
【図２】本発明の第１実施形態による設備機器管理システムの動作を示すシーケンス図である。
【図３】本発明の第２実施形態による設備機器管理システムの動作を示すシーケンス図である。
【発明を実施するための形態】
【００１０】
《第１実施形態》
〈第１実施形態による設備機器管理システムの構成〉
本発明の第１実施形態による設備機器管理システムの構成について、図１を参照して説明する。
【００１１】
本実施形態による設備機器管理システム１Ａは、管理対象の設備機器である空調機の室内機１０−１、１０−２、および１０−３と、これらの室内機１０−１〜１０−３を含む複数の室内機に冷媒を供給するいわゆるマルチタイプの空調機の室外機２０−１〜２０−４と、室外機２０−１〜２０−４にフィールドバス３０を介して接続された第１管理装置４０Ａと、第１管理装置４０Ａにネットワーク５０を介して接続された第２管理装置６０Ａとを備える。本実施形態においては説明を簡易にするため、設備機器管理システム１Ａ内の室内機として、室外機２０−１に接続された室内機１０−１〜１０−３のみを示しているが、実際には室外機２０−２〜２０−４にも複数の室内機が接続されている。
【００１２】
第１管理装置４０Ａは、ユーザインタフェース部４１と、スケジュール管理部４２と、機器監視制御部４３と、第１エネルギー管理部４４と、負荷分散管理部４５Ａとを有する。これらのユーザインタフェース部４１、スケジュール管理部４２、機器監視制御部４３、第１エネルギー管理部４４、および負荷分散管理部４５Ａはそれぞれ独立したモジュールとして動作し、内部のソケット（ＩＰアドレス、ポート番号）およびＢＡＣｎｅｔ／ＷＳなどのＷｅｂサービスを利用して、相互に通信を行う。また初期状態においては、第２管理装置６０Ａにはこれらのモジュールは存在していない。
【００１３】
ユーザインタフェース部４１は例えば操作部と画像表示部を備えたタッチパネル等で構成され、当該設備機器管理システム１Ａのユーザである管理者により、室内機１０−１〜１０−３および室外機２０−１〜２０−４の監視および制御のために操作された情報を入力する。またユーザインタフェース部４１は、室内機１０−１〜１０−３および室外機２０−１〜２０−４の監視および制御に関する情報を管理者に提供するために出力する。
【００１４】
スケジュール管理部４２は、ユーザインタフェース部４１から入力された情報のうち、室内機１０−１〜１０−３および室外機２０−１〜２０−４の監視および制御を行うためのスケジュール情報、例えば、設定温度の変更や電源のON／OFFを予め設定された時刻に切替えるためのスケジュール情報等を記憶する。
【００１５】
機器監視制御部４３は、スケジュール管理部４２に記憶されたスケジュール情報に従って、室内機１０−１〜１０−３および室外機２０−１〜２０−４の監視および制御を行う。
【００１６】
第１エネルギー管理部４４は、機器監視制御部４３で行われた室内機１０−１〜１０−３および室外機２０−１〜２０−４の監視および制御に関する情報に基づいて、室内機１０−１〜１０−３ごとおよび所定期間ごとのエネルギー消費量を算出し、ユーザインタフェース部４１に送出する。ここで、室外機２０−１〜２０−４及び室内機１０−１〜１０−３はそれぞれ個々の消費電力を、常時検出又は算出している。機器監視制御部４３は、この消費電力量のデータを短時間間隔で受信している。そして、対象とする空調機が、複数の室内機に対して１つの室外機が接続されるマルチタイプであるため、室内機１０−１〜１０−３ごとのエネルギー消費量は、各室内機１０−１〜１０−３そのものの消費電力に、室外機２０−１の消費電力を、この室外機２０−１に接続されている各室内機１０−１〜１０−３の冷暖房出力(能力)の比で按分した値を加算する方法等が用いられる。
【００１７】
負荷分散管理部４５Ａは、第１管理装置４０ＡのＣＰＵ（演算処理装置）で実行中の処理によるＣＰＵ占有（稼働）率および占有時間を監視し、ＣＰＵ占有率が予め設定された閾値を所定時間以上超えると判断すると、第１エネルギー管理部４４の機能を実行するためのプログラムモジュールをコピーして第２管理装置６０Ａに送信する。上述のとおり、第１エネルギー管理部４４は、室内機１０−１〜１０−３ごとおよび所定期間ごとのエネルギー消費量を算出するために、短時間の周期で各室外機２０−１〜２０−４及び室内機１０−１〜１０−３・・・・の消費電力を算出し、それを積算しているため、ＣＰＵの処理負荷が非常に重い。これに加えて、スケジュール管理部４２やユーザインタフェース部４１等で面倒な処理が発生した場合には、ＣＰＵ占有率が高い状態が続くことになる。
【００１８】
負荷分散管理部４５Ａは、後述するように、プログラムモジュールを送信したことにより第２管理装置６０Ａから通知された、第２管理装置６０Ａに新たに生成された第２エネルギー管理部６２にアクセスするためのＩＰアドレスおよびポート番号で、ユーザインタフェース部４１、スケジュール管理部４２、および機器監視制御部４３に予め保持された第１エネルギー管理部４４のＩＰアドレスおよびポート番号を書き換える。
【００１９】
第２管理装置６０Ａは、機能管理部６１Ａを有する。
【００２０】
機能管理部６１Ａは、第１管理装置４０Ａから第１エネルギー管理部４４の機能を実行するためのプログラムモジュールを受信すると、第２管理装置６０内に、受信したプログラムモジュールを実行する第２エネルギー管理部６２を生成する。また機能管理部６１Ａは、生成した第２エネルギー管理部６２にアクセスするためのＩＰアドレスおよびポート番号を、第１管理装置４０Ａに通知する。
【００２１】
〈第１実施形態による設備機器管理システムの動作〉
次に、本実施形態による設備機器管理システム１Ａの動作について、図２のシーケンス図を参照して説明する。
【００２２】
まず管理者により、ユーザインタフェース部４１から空調室内機１０−１〜１０−３および空調室外機２０−１〜２０−４の監視および制御のために操作された情報が入力されると（Ｓ１）、これらの情報の中の監視、制御に関するスケジュール情報がスケジュール管理部４２に記憶される（Ｓ２）。
【００２３】
次に、スケジュール管理部４２に記憶されたスケジュール情報に従って、機器監視制御部４３により室内機１０−１〜１０−３および室外機２０−１〜２０−４の監視および制御が実行され（Ｓ３）、必要に応じて各室内機、各室外機の監視情報が取得され、またこれに応じて生成された制御情報が該当する室内機、室外機に送出される。このように実行された監視、制御に関する情報は、ユーザインタフェース部４１に送信されて表示され、ユーザに提供される（Ｓ４）。また、各室内機、各室外機では、機器監視制御部４３から送出された制御情報に基づいて運転が制御される。
【００２４】
このように制御が行われている状態で、第１エネルギー管理部４４では、機器監視制御部４３で行われた室内機１０−１〜１０−３および室外機２０−１〜２０−４の監視および制御に関する情報に基づいて、室内機ごとおよび所定期間ごとのエネルギー消費量が算出される（Ｓ５）。算出された室内機ごとおよび所定期間ごとのエネルギー消費量は、ユーザインタフェース部４１に送出される（Ｓ６）。
【００２５】
このように室内機、室外機の監視制御およびエネルギー消費量の算出が実行されている間、負荷分散管理部４５Ａでは、第１管理装置４０Ａの処理によるＣＰＵ占有率および占有時間が監視される（Ｓ８）。
【００２６】
そして、ＣＰＵ占有率が予め設定された閾値を所定時間以上超えると判断されると、第１エネルギー管理部４４の機能を実行するためのプログラムモジュールが負荷分散管理部４５Ａによりコピーされ、第２管理装置６０Ａに送信される（Ｓ９）。
【００２７】
第２管理装置６０Ａでは、第１管理装置４０Ａから送信されたプログラムモジュールが機能管理部６１Ａで受信され、第２管理装置６０内に、受信したプログラムモジュールを実行する第２エネルギー管理部６２が生成される。そして、生成された第２エネルギー管理部６２にアクセスするためのＩＰアドレスおよびポート番号が、第１管理装置４０Ａに通知される（Ｓ１０）。
【００２８】
第１管理装置４０Ａでは、第２管理装置６０Ａから送信された、第２エネルギー管理部６２にアクセスするためのＩＰアドレスおよびポート番号が受信され、当該ＩＰアドレスおよびポート番号で、ユーザインタフェース部４１、スケジュール管理部４２、および機器監視制御部４３に予め保持された第１エネルギー管理部４４のＩＰアドレスおよびポート番号が書き換えられる（Ｓ１１）。
【００２９】
このように処理が実行されることにより、ユーザインタフェース部４１、スケジュール管理部４２、および機器監視制御部４３は、第１エネルギー管理部４４に替わって第２エネルギー管理部６２にアクセスするように切替えられ、第２エネルギー管理部６２において室内機１０−１〜１０−３および室外機２０−１〜２０−４の監視および制御が開始される。上述したように、エネルギー管理は、短時間の周期で各室外機及び室内機の消費電力を算出し、積算するというＣＰＵの負荷が重い処理となっているが、このエネルギー管理の処理を行う必要がなくなった第１管理装置４０Ａでは、ＣＰＵの処理負荷が大きく低減される。
【００３０】
以上の第１実施形態によれば、第１管理装置４０ＡにおいてＣＰＵが高負荷になったときに、第１管理装置４０Ａの機能を第２管理装置６０Ａに分散させることで、第１管理装置４０Ａの負荷を低減させ正常に処理を実行させることができる。
【００３１】
上述した第１実施形態のステップＳ９において、負荷分散管理部４５Ａは、ＣＰＵ占有率が予め設定された閾値を所定時間以上超えると判断したときに、第１エネルギー管理部４４の機能の一部を実行するためのプログラムモジュール、例えば、監視制御対象の１００台の空調室内機のうち半分の５０台の監視制御を実行するためのプログラムモジュールをコピーし、第２管理装置６０Ａに送信するようにしてもよい。
【００３２】
この場合、ステップＳ１１において、ユーザインタフェース部４１、スケジュール管理部４２、および機器監視制御部４３に予め保持された第１エネルギー管理部４４のＩＰアドレスおよびポート番号の書き換えるのではなく、第２エネルギー管理部６２のＩＰアドレスおよびポート番号を追加する処理を行う。
【００３３】
このように第１エネルギー管理部４４の一部の機能のみを第２管理装置６０Ａに分散させることで、第１管理装置４０Ａの負荷を低減させ正常に処理を実行させることができる。
【００３４】
また上述した第１実施形態において、第１管理装置４０Ａ内の、第１エネルギー管理部４４を含む複数の機能部の機能を実行するためのプログラムモジュールをコピーして、第２管理装置６０Ａに送信し、さらに多くの機能を第２管理装置６０Ａに移行させるようにしてもよい。
【００３５】
なお、第１エネルギー管理部４４の機能を第２管理装置６０Ａに移行した後、第１管理装置４０Ａで監視しているＣＰＵ占有率および占有時間に基づき、ＣＰＵ占有率が予め設定された第2の閾値（上述の閾値よりも低い値）よりも低い状態が第2の所定時間（上述の所定時間よりもかなり大きな値）以上継続すれば、第２管理装置６０Ａに移行した機能を第１エネルギー管理部４４に戻すようにしてもよい。
【００３６】
《第２実施形態》
〈第２実施形態による設備機器管理システムの構成〉
本発明の第２実施形態による設備機器管理システム１Ｂの構成は、第２管理装置６０Ｂ内に、図１において破線で示すように休止状態の第２エネルギー管理部６２が予め設定されている他は、第１実施形態において説明した設備機器管理システム１Ａの構成と同様であるため、同一機能を有する機能部に関する詳細な説明は省略する。
【００３７】
本実施形態において第１エネルギー管理部４４は、機器監視制御部４３で行われた室内機および室外機２０の監視および制御に関する情報に基づいて、予め記憶した、管理対象の室内機および室外機に関する情報を格納したデータベースを利用して室内機ごとおよび所定期間ごとのエネルギー消費量を算出し、ユーザインタフェース部４１に送出する。データベースは、エネルギー管理に必要なデータを保存したもので、そのデータには、エネルギー消費量を算出するために必要な室内機および室外機の定格能力、時間ごとの消費電力量、室内機の要求能力および室外機の冷凍能力等のデータが含まれる。
【００３８】
また負荷分散管理部４５Ｂは、第２エネルギー管理部６２のＩＰアドレスおよびポート番号を予め記憶し、第１管理装置４０ＢのＣＰＵ占有率が予め設定された閾値を所定時間以上超えると判断すると、第１エネルギー管理部４４に記憶されたデータベースを第２管理装置６０Ｂに送信するとともに、第１エネルギー管理部４４の機能を休止状態にする。
【００３９】
また負荷分散管理部４５Ｂは、記憶している第２エネルギー管理部６２のＩＰアドレスおよびポート番号で、ユーザインタフェース部４１、スケジュール管理部４２、および機器監視制御部４３に予め保持された第１エネルギー管理部４４のＩＰアドレスおよびポート番号を書き換える。
【００４０】
また第２管理装置６０Ｂの機能管理部６１Ｂは、通常時は第２エネルギー管理部６２の機能を休止状態とし、第１管理装置４０Ｂからデータベースを受信すると、第２エネルギー管理部６２の機能を起動させる。
【００４１】
〈第２実施形態による設備機器管理システムの動作〉
次に、本実施形態による設備機器管理システム１Ｂの動作について、図３のシーケンス図を参照して説明する。
【００４２】
本実施形態においては、第２管理装置６０Ｂ内に予め第２エネルギー管理部６２が休止状態で設けられている。
【００４３】
図３において、ステップＳ２１〜Ｓ２８の処理は、第１実施形態において説明したステップＳ１〜Ｓ８の処理と同様であるため、詳細な説明は省略する。
【００４４】
ステップＳ２９において、負荷分散管理部４５ＢでＣＰＵ占有率が予め設定された閾値を所定時間以上超えると判断されると、第１エネルギー管理部４４に記憶されたデータベースが第２管理装置６０Ｂに送信されるとともに、第１エネルギー管理部４４の機能が休止状態にされる（Ｓ２９）。
【００４５】
第２管理装置６０Ｂでは、第１管理装置４０Ｂから送信されたデータベースが機能管理部６１Ｂで受信されると、休止状態としていた第２エネルギー管理部６２の機能が起動される（Ｓ３０）。
【００４６】
第１管理装置４０Ｂでは、予め保持した第２エネルギー管理部６２にアクセスするためのＩＰアドレスおよびポート番号で、ユーザインタフェース部４１、スケジュール管理部４２、および機器監視制御部４３に予め保持された第１エネルギー管理部４４のＩＰアドレスおよびポート番号が書き換えられる（Ｓ３１）。
【００４７】
このように処理が実行されることにより、ユーザインタフェース部４１、スケジュール管理部４２、および機器監視制御部４３は、第１エネルギー管理部４４に替わって第２エネルギー管理部６２にアクセスするように切替えられ、第２エネルギー管理部６２では受信されたデータベースが利用され、室内機１０−１〜１０−３および室外機２０−１〜２０−４の監視および制御が開始される。
【００４８】
以上の第２実施形態によれば、第１管理装置４０ＢのＣＰＵが高負荷になったときに、第１管理装置４０Ｂの機能を簡易な処理で第２管理装置６０Ｂに分散させることで、第１管理装置４０Ｂの負荷を低減させ正常に処理を実行させることができる。
【００４９】
上述した第２実施形態のステップＳ２９において、負荷分散管理部４５Ｂは、ＣＰＵ占有率が予め設定された閾値を所定時間以上超えると判断したときに、第１エネルギー管理部４４に記憶されたデータベースの一部、例えば、監視制御対象の１００台の室内機のうち５０台のエネルギー管理に必要な情報を、第２管理装置６０Ｂに送信するようにしてもよい。
【００５０】
この場合、ステップＳ３１において、ユーザインタフェース部４１、スケジュール管理部４２、および機器監視制御部４３に予め保持された第１エネルギー管理部４４のＩＰアドレスおよびポート番号の書き換えるのではなく、第２エネルギー管理部６２のＩＰアドレスおよびポート番号を追加する処理を行う。
【００５１】
このように処理を行うことにより、第１エネルギー管理部４４の一部の機能のみを第２管理装置６０Ｂに分散させることで、第１管理装置４０Ｂの負荷を低減させ正常に処理を実行させることができる。
【００５２】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００５３】
１Ａ、１Ｂ…設備機器管理システム、１０−１〜１０−３…空調室内機
２０−１〜２０−４…空調室外機、４０Ａ、４０Ｂ…第１管理装置
４１…ユーザインタフェース部、４２…スケジュール管理部、４３…機器監視制御部
４４…第１エネルギー管理部、４５Ａ、４５Ｂ…負荷分散管理部
６０Ａ、６０Ｂ…第２管理装置、６１Ａ、６１Ｂ…機能管理部
６２…第２エネルギー管理部
【図１】
2015228147.tif 000003
【図２】
2015228147.tif 000004
【図３】
2015228147.tif 000005